(57)【要約】【課題】使用済みの部分を切り取って剥がす作業が簡単であり、下層の粘着テープを押さえ付けておかないでも使用済みの粘着テープだけを上手く剥がすことができ、製造コストも高くなることのない清掃用具を提供する。【解決手段】粘着テープ１の粘着面を外側に向けて、上下に偏平となったロール状に巻着してなるロール体２を備えてなるものとし、前記ロール体２は少なくとも一端部２ａを非粘着部とし、少なくとも一側部２ｂ寄りの非粘着部に切込み３を形成したものとしている。【選択図】図１
2012254150.tif 000002
【特許請求の範囲】
【請求項１】
粘着テープ（１）の粘着面を外側に向けて、上下に偏平となったロール状に巻着してなるロール体（２）を備えてなるものとし、前記ロール体（２）は少なくとも一端部（２ａ）を非粘着部とし、少なくとも一側部（２ｂ）寄りの非粘着部に切込み（３）を形成したものとしたことを特徴とする清掃用具。
【請求項２】
前記ロール体（２）の端面の偏平率（長径Ｌａ／短径Ｌｂ）を３〜６、好ましくは４〜５にしたことを特徴とする請求項１記載の清掃用具。
【請求項３】
前記切込み（３）を、ロ−ル体（２）の軸線方向から外向きに角度を持たせて設けたことを特徴とする請求項１または２記載の清掃用具。
【発明の詳細な説明】
【技術分野】
【０００１】
この発明は、塵、糸くず、毛髪、砂などのゴミを粘着テープを利用して除去できるようにした清掃用具に関するものである。
【背景技術】
【０００２】
従来、この種の清掃用具としては、長尺の粘着テープの粘着面を外側に向けて巻いた構成としたものが存在する（特許文献１〜３）。
【０００３】
この清掃用具における長尺の粘着テープには、使用済みの部分を捲って切り離すためのミシン目や、サイドカットの切込みが巻芯軸方向に沿って形成されている。
【先行技術文献】
【特許文献】
【０００４】
【特許文献１】実開昭５８−１２７９７６号公報
【特許文献２】実開昭６１−１９８６５７号公報
【特許文献３】実公平７−１８３６６号公報
【発明の概要】
【発明が解決しようとする課題】
【０００５】
しかしながら、粘着テープに形成されたミシン目やサイドカットの切込みは視覚によって判別し難く、また、必ずミシン目等の端から切り取り始める必要があるため、使用済みの部分を切り取って剥がす作業が面倒であるという問題点を有していた。
【０００６】
さらに、巻き重ねた上下の粘着テープどうしが引っ付き合っているため、下層の粘着テープが二層、三層と一緒になって剥がれ易く、使用済みの粘着テープだけを剥がすには、下層の粘着テープを押さえ付けておかないと上手く剥がせないという問題点を有していた。
【０００７】
また、巻き重ねた粘着テープの上層から下層までにミシン目を形成するのは手間が掛かり、製造コストが高くなるという問題点を有していた。
【０００８】
そこで、この発明は、上記従来の問題点を解決するものであり、使用済みの部分を切り取って剥がす作業が簡単であり、下層の粘着テープを押さえ付けておかないでも使用済みの粘着テープだけを上手く剥がすことができ、製造コストも高くなることのない清掃用具を提供することを目的としてなされたものである。
【課題を解決するための手段】
【０００９】
この発明の清掃用具は、粘着テープ１の粘着面を外側に向けて、上下に偏平となったロール状に巻着してなるロール体２を備えてなるものとし、前記ロール体２は少なくとも一端部２ａを非粘着部とし、少なくとも一側部２ｂ寄りの非粘着部に切込み３を形成したものとしている。
【００１０】
この発明の清掃用具において、前記ロール体２の端面の偏平率（長径Ｌａ／短径Ｌｂ）を３〜６、好ましくは４〜５にしている。
【００１１】
この発明の清掃用具において、前記切込み３を、ロ−ル体２の軸線方向から外向きに角度を持たせて設けたものとしている。
【発明の効果】
【００１２】
この発明の清掃用具は、以上に述べたように構成されているので、使用済みの部分を切り取って剥がす作業が簡単なものとなり、下層の粘着テープを押さえ付けておかないでも使用済みの粘着テープだけを上手く剥がすことができ、製造コストも高くなることのないものとなった。
【図面の簡単な説明】
【００１３】
【図１】この発明の清掃用具の一実施形態を示す斜視図である。
【図２】この発明の清掃用具の長さ方向における断面図である。
【図３】この発明の清掃用具をロール体と持ち手に分解した分解斜視図である。
【図４】この発明の清掃用具のロール体の端面の説明図である。
【図５】この発明の清掃用具のロール体を粘着テープと芯体に分解した分解斜視図である。
【図６】この発明の清掃用具のロール体に設けた切込みの各形態を示す説明図である。
【発明を実施するための形態】
【００１４】
以下、この発明の清掃用具を実施するための一形態を、図面に基づいて詳細に説明する。
【００１５】
この発明の清掃用具は、粘着テープ１の粘着面を外側に向けて、上下に偏平となったロール状に巻着してなるロール体２を備えてなるものとしている。
【００１６】
粘着テープ１は、外側に粘着剤を塗布するなどしてその外側を粘着面とし、この粘着面でゴミを粘着するようにしており、内側に剥離剤を塗布するなどしてその内側を剥離面とし、巻着した使用済みの粘着テープ１を剥がし易くしている。
【００１７】
ロール体２は、少なくとも一端部２ａを非粘着部（ドライエッジ）とし、少なくとも一側部２ｂ寄りの非粘着部に切込み３を形成したものとしている。なお、ロール体２は、両端部２ａ、２ａを非粘着部とし、前記ロール体２の両側部２ｂ、２ｂ寄りの非粘着部に切込み３を設けたものとしてもよい。
【００１８】
ロール体２を上下に偏平となったものとするには、図示したように偏平な楕円筒としているが、偏平な楕円筒の両側部２ｂ、２ｂの丸みをとって角張らせたものとしてもよい。さらに、ロール体２は、偏平な角筒として実施することも可能である。そして、ロール体２の端面の偏平率を３〜６、好ましくは４〜５にすることができる。ここで偏平率とは、ロール体２の端面の長径Ｌａと短径Ｌｂとの比率（長径Ｌａ／短径Ｌｂ）をいう（図４参照）。
【００１９】
ロール体２をこのような偏平な楕円筒にし、偏平率を３〜６にすると、使用済みの粘着テープ１を剥がすときには、粘着テープ１を捲り上げて、その側部２ｂに沿って引き裂くことができる。さらに、ロール体２を偏平な楕円筒の一側部２ｂまたは両側部２ｂ、２ｂを角張らせたものとすると、捲り上げた粘着テープ１は、その側部２ｂに沿って引き裂き易くなり、使用済みの粘着テープ１がより剥がし易くなる。また、ロール体２の偏平率を３〜６にすると、粘着テープ１の粘着面が平坦な円弧状となり、ゴミが粘着し易くなる。なお、ロール体２の一側部２ｂまたは両側部２ｂ、２ｂには、必要に応じ、ミシン目や弱め線などとした切り目（図示せず）を設けておけば、その側部２ｂに沿ってさらに引き裂き易くなり、使用済みの粘着テープ１がより一層、剥がし易くなる。
【００２０】
そして、ロール体２は、粘着テープ１の粘着面を外側に向け、この粘着テープ１の巻端部を内側に折り返して、この折り返した粘着面を芯体４に粘着させてから、粘着テープ１を芯体４に巻着したものとしており、さらにこの芯体４に持ち手５を着脱自在として取り付けたものとしている。芯体４は、合成樹脂シート等からなり、ロール体２の偏平率に対応した偏平な楕円筒としており、止孔６を設けた止着片４ａを偏平な楕円筒の一端に設けたものとしている。持ち手５は、合成樹脂材等からなり、棒状の手持ち部５ａに平板状の支持部５ｂが一体として成形されており、手持ち部５ａと支持部５ｂとの間には抜止め用の突起７が設けられている。したがって、芯体４を持ち手５に取り付けるには、芯体４の楕円筒内に持ち手５の支持部５ｂを差し込み、芯体４の止着片４ａに設けた止孔６に、持ち手５の突起７を引っ掛けて、芯体４から持ち手５が抜けないようにしておけばよい。また、芯体４を持ち手５から外すには、芯体４の止着片４ａに設けた止孔６から持ち手５の突起７を外し、芯体４を持ち手５から抜き取ればよい。
【００２１】
このようにすることにより、清掃用具の使用時には、ロール体２を持ち手５から外れないようにしておくことができ、ロール体２の粘着テープ１を使い終わったときには、このロール体２を新しいものに簡単に交換することができる。
【００２２】
切込み３は、非粘着部において、ロ−ル体２の軸線方向に直線状に設けてもよいが、ロ−ル体２の軸線方向から角度を持たせて直線状に設けてもよい。図１〜５に示したものでは、切込み３は、ロ−ル体２の軸線方向から外向きに、例えば約４５°の角度を持たせて直線状に設けたものとしている。なお、この切込み３の角度は、３０〜６０°にするのが、手指で摘み易くなり好ましい。
【００２３】
このようにすることにより、切込み３は、端部２ａの非粘着部において、図１に示したように捲れ上がるので、その捲れ上がった部分を手指で摘めば、使用済みの粘着テープ１が剥がし易くなる。
【００２４】
さらに、切込み３は、図６（ａ）に示したような、ロ−ル体２の軸線方向から外方向にむけて略Ｖ字状に設けたり、図６（ｂ）に示したような、ロ−ル体２の軸線方向にむけて略Ｖ字状に設けたり、図６（ｃ）に示したような、ロ−ル体２の軸線方向に略四角状に設けたり、図６（ｄ）に示したような、ロ−ル体２の軸線方向に略Ｕ字状に設けたものとすることができる。
【００２５】
このようにすることにより、切込み３は、大きくなって手指が差し込み易くなり、その切込み３を摘み易くなり、使用済みの粘着テープ１が剥がし易くなる。
【００２６】
以上に述べたように構成したこの発明の清掃用具は、図１示したような状態で、持ち手５の手持ち部５ａを手に持って、上下に偏平となったロール体２の粘着テープ１の粘着面を、塵、糸くず、毛髪、砂などのゴミに押し当て、その粘着面にこれらのゴミを次々に粘着させていく。
【００２７】
そして、粘着テープ１の粘着面がゴミで被い尽くされてしまうと、この粘着テープ１の粘着面にはゴミが粘着しなくなるので、切込み３の捲れ上がった部分を手指で摘み、その粘着テープ１を一巻、捲り上げ、次の切込み３まできたときに、ロール体２の側部２ｂ方向に引っ張ると、この側部２ｂに沿って粘着テープ１を引き裂くことができる。
【００２８】
すると、ゴミで被い尽くされてしまった粘着テープ１の粘着面は、その部分だけを上手く剥がすことができ、粘着テープ１の新しい粘着面がロール体２の表にきて、図１示したような状態となる。
【００２９】
したがって、この発明の清掃用具は、使用済みの部分を切り取って剥がす作業が簡単なものとなり、下層の粘着テープを押さえ付けておかないでも使用済みの粘着テープだけを上手く剥がすことができる。
【００３０】
そして、この発明の清掃用具は、再び持ち手５の手持ち部５ａを手に持って、再び前記したように使用することができる。
【００３１】
このような使用を繰り返していき、ロール体２の粘着テープ１を使い切ってしまえば、芯体４の止着片４ａを手指で引き上げ、この止着片４ａに設けた止孔６から持ち手５の突起７を外し、芯体４を持ち手５の支持部５ｂから抜き取り、新しいロール体２を持ち手５の支持部５ｂに取り付ければよい。新しいロール体２を持ち手５の支持部５ｂに取り付けるには、そのロール体２の芯体４の楕円筒内に持ち手５の支持部５ｂを差し込み、芯体４の止着片４ａに設けた止孔６に、持ち手５の突起７を引っ掛けておけばよい。
【００３２】
このようにすることにより、前記したように清掃用具の使用時には、ロール体２を持ち手５から外れないようにしておくことができ、ロール体２の粘着テープ１を使い終わったときには、このロール体２を新しいものに簡単に交換することができる。
【符号の説明】
【００３３】
１  粘着テープ
２  ロール体
２ａ  端部
２ｂ  側部
３  切込み
Ｌａ  長径
Ｌｂ  短径
【図１】
2012254150.tif 000003
【図２】
2012254150.tif 000004
【図３】
2012254150.tif 000005
【図４】
2012254150.tif 000006
【図５】
2012254150.tif 000007
【図６】
2012254150.tif 000008